(57)【要約】【課題】電子写真式印刷装置の用紙搬送機構において、用紙搬送ユニットによって用紙を走行させる時に用紙が縦方向に弛まないことと、挟持ローラユニットと吸引ベルトユニットによって用紙を走行させる時に用紙が蛇行することなく走行できることを両立することである。【解決手段】用紙搬送ユニットに、用紙の左右に掛かる張力を等しく調整可能な機構を設けること。【選択図】          図１
2004174717.tif 000002
【特許請求の範囲】
【請求項１】
粉体インクで形成された像を用紙に転写させる印写機構部と、回転体によって前記用紙上に転写された粉体インクを溶融定着させる定着機構部と、突起を有する回転帯、該回転帯を駆動させる回転軸、該回転軸を保持する保持部で構成された左右一対の用紙搬送装置を有し、前記印写機構部と前記定着機構部との間に設けられた用紙搬送機構とからなる電子写真式印刷装置の用紙搬送機構において、前記用紙搬送装置の一方に、前記回転帯の突起の位相を調整する調整手段を設けたことを特徴とする用紙搬送機構。
【請求項２】
前記用紙搬送装置で、前記回転軸は、内輪と外輪の２つの輪形状を重ねた２重構造であって、内輪と外輪を固定する固定具を設けたことを特徴とする請求項１記載の用紙搬送機構。
【請求項３】
前記固定具は、ネジであることを特徴とする請求項２記載の用紙搬送機構。
【請求項４】
用紙の両端部を保持して用紙搬送を行う用紙搬送系統と、用紙の中央部を保持して用紙搬送を行う用紙搬送系統とを有する用紙搬送機構において、用紙の張力を調整する調整手段を設けたことを特徴とする用紙搬送機構。
【請求項５】
前記用紙の両端部を保持して用紙搬送を行う用紙搬送系統において、用紙の張力を調整する調整手段を設けたことを特徴とする請求項４記載の搬送機構。
【発明の詳細な説明】
【０００１】
【発明の属する技術分野】
本発明は電子写真式印刷装置における用紙搬送機構に係るものであり、特に長尺に連続した用紙に画像を記録形成する電子写真式印刷装置の用紙搬送機構に関するものである。
【０００２】
【従来の技術】
図３に従来の電子写真式印刷装置の概略図を示す。
【０００３】
印写機構部１９においては感光ドラム９が回転し、帯電器１０によって感光ドラム９表面には電荷が均一に帯電され、文字や図形等のデータが光学ユニット部１１からのレーザー光として照射されることにより、感光体表面に潜像が形成される。前記潜像には現像装置１２によってトナーを付着されることで感光体表面にはトナー像が形成される。前記トナー像は転写器１３によってトナー像と逆極性の電荷を用紙１４に与えることで用紙１４上にトナーが転写される。トナー１６が転写された用紙は、用紙搬送機構ユニット１５によって搬送される。その後、用紙はバッファ機構部２０を経て定着機構部２１へ搬送され、定着ロールユニット２２によって用紙上のトナー像は溶融定着され、搬送される。
【０００４】
図４に、前記電子写真式印刷装置の用紙搬送機構部の拡大図を示す。
【０００５】
以前は用紙穴を有する連続紙を使用していたため、搬送機構として用紙搬送ユニット１５のみを有することが一般的であった。その際の用紙左右の縦張力バランス調整方法を示す。縦張力バランス調整は用紙左右の張力が弱い側について、転写器１３の下に設けられた用紙ガイド２３を前方に突き出して用紙パスの状態を２４から２５の状態に変化させることで用紙の張力を強めることにより、用紙左右の縦張力が均等になるよう調整していた。
【０００６】
しかしながら、近年、用紙穴を有する連続紙に加え、用紙穴を持たない連続紙も使用可能な電子写真装置をとの要望がある。その場合、用紙搬送機構の構成としては、用紙穴を有する連続用紙の場合には、用紙搬送ユニット１５によって両端部を保持した状態で搬送し、また、用紙穴を持たない連続用紙の場合には、挟持ローラユニット１７と吸引ベルトユニット１８によって用紙の中央部のみ保持した状態で搬送する。
【０００７】
ここで、用紙穴を持たない連続用紙の場合、前記用紙ガイド２３を突き出して調整する従来の縦張力調整方法を用いると、用紙ガイドの片側のみが前方に突き出る際に、用紙左右のパスのバランスが均等でなくなってしまう。このため、挟持ローラユニット１７と吸引ベルトユニット１８によって用紙中央部のみを保持して用紙を走行させる場合に用紙が蛇行してしまうという問題があった。
【０００８】
【発明が解決しようとする課題】
本発明の目的は、用紙搬送ユニットにおいて用紙左右に掛かる張力を等しく調整できるようにすることにより、用紙搬送ユニットによって用紙を走行させる場合に用紙左右の縦張力差によって走行時に用紙が縦方向に弛まないことと、挟持ローラユニットと吸引ベルトユニットによって用紙を走行させる場合において用紙左右のパスのバランスを均等に保ち、用紙走行を安定させることを両立することである。
【０００９】
【課題を解決するための手段】
上記課題を解決する為、本発明では、粉体インクで形成された像を用紙に転写させる印写機構部と、回転体によって前記用紙上に転写された粉体インクを溶融定着させる定着機構部と、突起を有する回転帯、該回転帯を駆動させる回転軸、該回転軸を保持する保持部で構成された左右一対の用紙搬送装置を有し、前記印写機構部と前記定着機構部との間に設けられた用紙搬送機構と、からなる電子写真式印刷装置の用紙搬送機構において、前記用紙搬送装置の一方に、前記回転帯の突起の位相を調整する調整手段を設けたことを特徴とする。
【００１０】
また、前記用紙搬送装置で、前記回転軸は、内輪と外輪の２つの輪形状を重ねた２重構造であって、内輪と外輪を固定する固定具を設けたことを特徴とする。
【００１１】
また、前記固定具は、ネジであることを特徴とする。
【００１２】
また、用紙の両端部を保持して用紙搬送を行う用紙搬送系統と、用紙の中央部を保持して用紙搬送を行う用紙搬送系統とを有する用紙搬送機構において、用紙の張力を調整する調整手段を設けたことを特徴とする。
【００１３】
更に、前記用紙搬送機構で、用紙の両端部を保持して用紙搬送を行う用紙搬送系統において、用紙の張力を調整する調整手段を設けたことを特徴とする。
【００１４】
【発明の実施の形態】
図１は本発明の実施例に基づく電子写真式印刷装置の用紙搬送機構の概略図である。
【００１５】
図２は本発明の実施例に基づく電子写真式印刷装置の用紙搬送機構における用紙張力調整機構を示す拡大図である。
【００１６】
用紙張力調整機構を有する用紙搬送ユニット１ａは搬送ベルト１、軸保持部２、駆動側回転軸３、プーリ４、従動側回転軸５、および固定ネジ６からなり、搬送ベルト１には用紙穴を通すためのピン７が設けられている。駆動側回転軸３および従動側回転軸５はともに軸保持部２によって保持されており、さらにプーリ４は固定ネジ６によって駆動側回転軸３に固定され、プーリ４が駆動側回転軸３と共に回転する結果、プーリ４と従動側回転軸５に掛けられた搬送ベルト１が回転する形となっており、固定ネジ６を緩めた場合、プーリ４が駆動側回転軸３から独立して回転できる形となり、駆動側回転軸３を回転させることなくプーリ４および搬送ベルト１を回転させることが可能となる。
【００１７】
用紙張力調整機構を有しない用紙搬送ユニット１ｂは搬送ベルト１、軸保持部２、駆動側回転軸３、従動側回転軸５で構成される。さらに、駆動軸８が両用紙搬送ユニットの駆動側回転軸を貫通しており、両用紙搬送ユニットの駆動側回転軸およびベルトは駆動軸によって同位相で回転するようになっている。
【００１８】
用紙縦張力調整時には、用紙張力調整機構を有する用紙搬送ユニット１ａにおいて、固定ネジ６を緩めてプーリ４を回転させてやることにより、搬送ベルト１上のピンの位相を動かすことによって用紙張力を用紙張力調整機構を有しない用紙搬送ユニット側の用紙張力と等しくなるように調整した後、固定ネジ６を締め付けて調整を完了する。
【００１９】
なお、用紙ガイド２３については、取付時に取付位置の調整を行い設置固定する。従来のように用紙搬送時の縦張力調整には使用しないため、固定状態のままで、従って調整位置からのずれが生じることもない。そのため、狭持ローラユニット１７および吸引ベルトユニット１８を用いて用紙穴を持たない連続用紙を搬送する際にも、用紙左右のパスのバランスが崩れないことは言うまでもない。
【００２０】
上記の構成によれば、用紙搬送ユニットにおいて用紙左右の縦張力を均一に調整することが可能となり、用紙搬送ユニットによる用紙走行時に用紙が縦方向に弛むことを防止でき、加えて用紙左右のパスのバランスを崩さずに済むため、挟持ローラユニットと吸引ベルトユニットによる用紙走行時に用紙が蛇行することなく安定して走行させることが両立可能となる。
【００２１】
【発明の効果】
本発明によれば、片側の用紙搬送ユニットについて搬送ベルト上におけるピンの位相を調整可能とすることにより、用紙左右のパスのバランスが調整され、用紙左右の縦張力を均一に調整することが容易となる。
【図面の簡単な説明】
【図１】本発明の用紙搬送装置を示す概略図である。
【図２】本発明の用紙張力調整機構を有する用紙搬送ユニットの駆動部側面を示す概略図である。
【図３】従来の電子写真式印刷装置の概略図である。
【図４】従来の用紙縦張力調整方法を示す概略図である。
【符号の説明】
１：搬送ベルト、１ａ：用紙搬送ユニット、１ｂ：用紙搬送ユニット、２：軸保持部、３：駆動側回転軸、４：プーリ、５：従動側回転軸、６：固定ネジ、７：ピン、８：駆動軸、９：感光ドラム、１０：帯電器、１１：光学ユニット部、１２：現像装置、１３：転写器、１４：用紙、１５：用紙搬送ユニット、１６：トナー、１７：狭持ローラユニット、１８：吸引ベルトユニット、１９：印写機構部、２０：バッファ機構部、２１：定着機構部、２２：定着ロールユニット、２３：用紙ガイド、２４：縦張力調整前の用紙パス状態、２５：縦張力調整後の用紙パス状態である。
【図１】
2004174717.tif 000003
【図２】
2004174717.tif 000004
【図３】
2004174717.tif 000005
【図４】
2004174717.tif 000006